(57)【要約】フレーム（１２）、ヘッド部（１４）、フット部（１８）、およびシート部（１６）を含む患者支持体（１０）。フット部（１８）は除去可能フットセクション（２０）、および横切る方向に離隔しその間に中央開口部を形成するフットサポート（２２，２４）を含む。フットサポート（２２，２４）は実質的垂直軸（２６）および実質的水平軸（３２）を中心に移動する構成である。位置調整機構（４８）がフレーム（１２）に対して所望位置でフットサポート（２２，２４）を係止するために設けられている。照明組立体（１２０）がフット部（１８）に支持されている。同様に、ふくらはぎサポート（２２６，２２８）がフットサポート（２２，２４）に連結されかつ保管位置と使用位置間で調整自在である。アクチュエータ（３６２）がシート部およびフット部（１６，１８）に対してヘッド部（１４）を移動させるために設けられている。解放システム（３６４）がアクチュエータ（３５６２）に連結されていて患者支持体（１０）のヘッド部の迅速下降を促進する。
2004510460.tif 000002
【特許請求の範囲】
【請求項１】
フレーム、
前記フレームによって支持されかつヘッド部、前記ヘッド部から離隔したフット部、および前記ヘッドとフット部との中間に位置するシート部を含む患者支持体、および
前記フット部に連結された照明組立体を含む、ベッド。
【請求項２】
前記照明組立体は前記フット部に連結されたブラケット、光源、および前記ブラケットと前記光源間に延在するアームを含む、請求項１の患者支持体。
【請求項３】
前記ブラケットは六角形開口部を含み、かつ前記アームは前記六角形開口部内に取り外し自在に受けられる構成の六角形部材を含む、請求項２の患者支持体。
【請求項４】
前記アームは可撓性部を含む、請求項２の患者支持体。
【請求項５】
前記光源は、更に、照明体、前記照明体を受けるハウジング、および前記ハウジングを前記アームに連結する自在継手を含む、請求項２の患者支持体。
【請求項６】
前記フット部は前記フレームに対して移動する構成の少なくとも一つのフットサポートを含み、かつ前記光源は少なくとも一つのフットサポートに取り外し自在に連結されている、請求項１の患者支持体。
【請求項７】
少なくとも一つのフットサポートに対して移動する構成のふくらはぎサポートを更に含む、請求項６の患者支持体。
【請求項８】
少なくとも一つのフットサポートは実質的垂直軸を中心に第一運動し、かつ実質的水平軸を中心に第二運動する構成である、請求項６の患者支持体。
【請求項９】
前記フット部は患者支持体面、前記患者支持体面から離隔した保管面、および前記光源を前記フット部に取り外し自在に連結するための前記保管面により支持されたホルダを含む、請求項６の患者支持体。
【請求項１０】
前記フット部は除去自在のフットセクション、および前記光源を取り外し自在に取り付けるための除去自在のフットセクションによって支持されたホルダを含む、請求項６の患者支持体。
【請求項１１】
前記光源は照明体、および前記照明体を支持するアームを含み、かつ前記ホルダは前記アームを取り外し自在に取り付けることのできる弾性クリップを含む、請求項９の患者支持体。
【請求項１２】
患者に向かって上方に対面した患者支持体面、
前記患者支持体面に離隔関係の保管面、
前記保管面に連結された少なくとも一つのホルダ、
使用位置と保管位置間で移動できる光源、および
前記使用位置で前記光源を取り外し自在に受けるブラケットを含み、
前記使用位置は介護人に光りを提供するために前記光源が位置決めされるときに形成され、かつ前記保管位置は前記光源が前記ホルダによって保持されるときに形成される、患者支持体。
【請求項１３】
前記光源は照明体、および前記照明体を支持するアームを含み、かつ前記ホルダは前記アームを取り外し自在に取り付けることのできる弾性クリップを含む、請求項１２の患者支持体。
【請求項１４】
前記患者支持体はヘッド部、および前記ヘッド部から離隔したフット部を含み、かつ前記患者支持体面および前記保管面は前記フット部によって形成されている、請求項１２の患者支持体。
【請求項１５】
前記ブラケットはフット部により支持され、前記光源は前記ブラケットによって取り外し自在に支持されることのできるアームを含む、請求項１４の患者支持体。
【請求項１６】
前記患者支持面を支持できる構成のフレームを更に含み、前記フット部は前記フレームに対して相対運動する構成の少なくとも一つのフットサポートを含み、かつ前記光源は少なくとも一つのフットサポートに取り外し自在に連結されている、請求項１４の患者支持体。
【請求項１７】
前記フット部は除去自在のフットセクションを含み、前記少なくとも一つのホルダは除去自在のフットセクションによって支持されている、請求項１４の患者支持体。
【請求項１８】
フレーム、および
前記フレームにより支持され、かつヘッド部、前記ヘッド部に離隔関係で位置するフット部、および前記ヘッド部および前記フット部の中間に位置するシート部を含む患者支持体を含み、
前記フット部は第一および第二フレームセクションを有するフットサポート、前記第二フレームセクションに連結されたフットパネル、ならびに前記フットパネルおよび前記フレームを作動自在に連結する位置調整機構を含み、前記フットサポートは実質的垂直軸を中心に第一運動でき、かつ実質的水平自治を中心に第二運動できる構成であり、
前記位置調整機構は、前記フットサポートの実質的垂直軸を中心とする第一運動を阻止する係合位置を有する第一クラッチ、および前記フットサポートの実質的水平軸を中心とする第二運動を阻止する係合位置を有する第二クラッチを含む、ベッド。
【請求項１９】
前記実質的水平軸を中心に上方へ前記フットサポートの第二フレームセクションを付勢するためのバネを更に含む、請求項１８の患者支持体。
【請求項２０】
前記第一および第二クラッチの各々はクランプおよび前記クランプへ延びたロッドを含み、係合位置において前記ロッドは前記クランプに対して固定される、請求項１８の患者支持体。
【請求項２１】
前記位置調整機構は、ハンドル、前記ハンドルと前記第一クラッチ間に延在する第一リンク装置、および前記ハンドルと前記第二クラッチ間に延在するリンク装置を含む、請求項１８の患者支持体。
【請求項２２】
前記ハンドルはピボット軸を中心に回転して第一および第二リンク装置により第一および第二クラッチを係合位置から係合解除位置へ移動させる構成である、請求項２１の患者支持体。
【請求項２３】
前記フットサポートに対して相対運動する構成のふくらはぎサポートを更に含む、請求項２２の患者支持体。
【請求項２４】
ヘッド部、
前記ヘッド部から離隔し、かつ両側エッジおよび前記両側エッジ間に延在する長軸を有する少なくとも一つのフットサポートを含むフット部、および
前記フットサポートに対して移動する構成であり、かつピボット軸を形成するフットサポートカプラ、および前記ピボット軸を中心に回転するために支持されたアーム、および前記アームにより支持されたふくらはぎホルダを含むふくらはぎサポートを含み、
前記少なくとも一つのフットサポートの長軸は前記フットサポートカプラのピボット軸と実質的に平行である、患者支持体。
【請求項２５】
前記フットサポートカプラは前記少なくとも一つのフットサポートの両側エッジの一つにより支持されている、請求項２４の患者支持体。
【請求項２６】
前記アームとふくらはぎホルダを連結するふくらはぎホルダカプラを更に含む、請求項２４の患者支持体。
【請求項２７】
前記ふくらはぎホルダカプラはスリーブ、前記スリーブ内に位置するボール、および前記ボールに作動自在に連結されたロックを含む、請求項２６の患者支持体。
【請求項２８】
前記フットサポートカプラは、
前記少なくとも一つのフットサポートに連結された孔を含む本体、
前記アームに固定されかつ前記本体の孔内で回転のために支持されたロッド、および
前記フットサポートに対して前記ロッドの回転位置を固定できる構成の戻り止めを含む、請求項２４の患者支持体。
【請求項２９】
前記ふくらはぎサポートは前記フットサポート下の保管位置から前記保管位置に対して離隔した使用位置へ移動自在である、請求項２４の患者支持体。
【請求項３０】
支持面、
前記支持面に連結されて前記支持面の少なくとも一部を起立位置と下降位置間で移動させる、解放装置を含むアクチュエータ、および
前記アクチュエータに連結され、かつハンドル、前記アクチュエータの解放装置に連結されたアクチュエータカプラ、および前記ハンドルと前記アクチュエータカプラを連結するケーブルを含む解放機構を含む、患者支持体。
【請求項３１】
前記アクチュエータカプラは本体、および前記本体に連結された第一および第二突起を含み、前記第一および第二突起は前記ケーブルを受ける開口部を形成している、請求項３０の患者支持体。
【請求項３２】
前記アクチュエータ開口部は更にケーブルガイドを含み、かつ前記ケーブルはワイヤおよび前記ワイヤを包囲するシースを含み、前記ケーブルガイドは前記第一および第二突起から前記シースを分離する構成である、請求項３１の患者支持体。
【請求項３３】
前記支持面は周辺を含み、かつ前記ハンドルは前記支持面の周辺に隣接して位置決めされている、請求項３０の患者支持体。
【請求項３４】
前記支持面の周辺は離隔端面、および前記離隔端面間に延在する離隔側面を含み、かつ前記ハンドルは前記離隔側面の一つに隣接して位置決めされている、請求項３３の患者支持体。
【請求項３５】
前記解放機構は第二ハンドル、および前記第二ハンドルおよび前記アクチュエータカプラに連結された第二ケーブルを更に含む、請求項３０の患者支持体。
【請求項３６】
前記支持面は周辺を含み、かつ前記第一および第二ハンドルは前記支持面の周辺に隣接して位置決めされている、請求項３５の患者支持体。
【請求項３７】
前記支持面の周辺は離隔した第一および第二端面、および前記離隔した第一および第二端面間に延在する離隔した第一および第二側面を含み、かつ前記第一ハンドルは前記第一側面に隣接して位置し、かつ前記第二ハンドルは第二側面に隣接して位置している、請求項３６の患者支持体。
【請求項３８】
フレーム、
前記フレームによって支持された患者支持体、
側方で離隔した第一および第二フットサポート、および
前記第一および第二フットサポートによりそれぞれ支持された第一および第二ふくらはぎサポートを含み、
前記フットサポートの各々は前記フットサポートを前記患者支持体または前記フレームのいずれか一方へ前記フットサポートを作動可能に連結する位置調整機構を含み、かつ
前記ふくらはぎサポートの各々は前記患者支持体上の患者のふくらはぎを受けることのできる凹状ふくらはぎ支持面を有するふくらはぎホルダ、および前記ふくらはぎホルダを前記フットサポートのそれぞれに作動可能に連結するフットサポートカプラを含み、前記フットサポートの各々は保管位置から使用位置へ前記フットサポートに対して移動する構成であり、前記ふくらはぎホルダは、前記ふくらはぎサポートが保管位置のときに、前記凹状ふくらはぎ支持面が前記フットサポートに対面しかつ前記フットサポートに概ね平行に整列する前記フットサポートの下に位置する押し込み位置にある、ベッド。
【請求項３９】
前記フットサポートは、更に、前記フットサポートカプラにより支持されたアーム、および前記アームと前記ふくらはぎホルダを連結するふくらはぎホルダカプラを含む、請求項３８のベッド。
【請求項４０】
前記ふくらはぎホルダカプラはスリーブ、前記スリーブ内に位置するボール、および前記ボールへ作動可能に連結されたロックを含む、請求項３９のベッド。
【請求項４１】
前記フットサポートは両側エッジを含み、かつ前記フットサポートカプラは前記両側エッジの一つにより支持されている、請求項３８のベッド。
【請求項４２】
前記フットサポートの両側エッジ間に長軸が形成され、前記フットサポートカプラはピボット軸を形成し、かつ前記フットサポートの長軸は前記フットサポートカプラのピボット軸と実質的に平行である、請求項４１のベッド。
【請求項４３】
前記位置調整機構は、前記第一および第二フットサポートを前記患者支持体または前記フレームのいずれか一方に連結して前記第一および第二フットサポートの実質的垂直軸および実質的水平軸を中心とする移動を可能にする、請求項３８のベッド。
【請求項４４】
前記位置調整機構は、実質的垂直軸を中心とする前記フットサポートの運動が阻止される係合位置を有する第一クラッチ、および実質的水平軸を中心とする前記フットサポートの運動が阻止される係合位置を有する第二クラッチを含む、請求項４３のベッド。
【請求項４５】
フレーム、
前記フレームによって支持された患者支持体、
側方で離隔した第一および第二フットサポート、および
前記第一および第二フットサポートによりそれぞれ支持された第一および第二ふくらはぎサポートを含み、
前記フットサポートの各々が実質的垂直軸および実質的水平軸を中心に移動自在であるように前記フットサポートの各々は前記患者支持体または前記フレームのいずれか一方へ前記フットサポートを作動可能に連結する位置調整機構を含み、かつ前記ふくらはぎサポートはふくらはぎホルダおよび前記ふくらはぎホルダを前記フットサポートの一つに作動可能に連結するフットサポートカプラを含み、前記ふくらはぎサポートは保管位置と使用位置間で前記フットサポートに対して移動する構成であり、前記フットサポートは、前記使用位置において前記ふくらはぎサポートの調整を可能にするために、前記ふくらはぎサポートが使用位置のときに実質的垂直軸と実質的水平軸を中心に移動自在である、ベッド。
【請求項４６】
前記ふくらはぎサポートの各々は前記患者支持体上の患者のふくらはぎを受けることのできる凹状ふくらはぎ支持面を含み、前記ふくらはぎサポートが保管位置のときに、前記ふくらはぎホルダは、前記凹状ふくらはぎサポートが前記フットサポートに対面しかつ前記フットサポートと概ね平行になる前記フットサポートの下の押し込み位置にある、請求項４５のベッド。
【請求項４７】
前記位置調整機構は、前記フットサポートの実質的垂直軸を中心とする第一運動を阻止する係合位置を有する第一クラッチ、および前記フットサポートの実質的水平軸を中心とする第二運動を阻止する係合位置を有する第二クラッチを含む、請求項４５のベッド。
【請求項４８】
前記第一および第二クラッチの各々はクランプおよび前記クランプへ延びたロッドを含み、係合位置において前記ロッドは前記クランプに対して固定される、請求項４７のベッド。
【請求項４９】
前記位置調整機構は、ハンドル、前記ハンドルと前記第一クラッチ間に延在する第一リンク装置、および前記ハンドルと前記第二クラッチ間に延在するリンク装置を更に含む、請求項４７のベッド。
【請求項５０】
前記ハンドルはピボット軸を中心に回転して前記第一および第二リンク装置により前記第一および第二クラッチを前記係合位置から前記係合解除位置へ移動させる構成である、請求項４９のベッド。
【請求項５１】
前記実質的水平軸を中心に上方へ前記フットサポートを付勢するためのバネを更に含む、請求項４５のベッド。
【請求項５２】
前記第一および第二フットサポートの各々は対峙する第一および第二側エッジを含み、フットサポートカプラが各前記フットサポートの前記第一および第二側エッジの一つに連結されている、請求項４５のベッド。
【請求項５３】
前記第一および第二フットサポートの各々は内側エッジおよび外側エッジを含み、各フットサポートカプラはそれぞれの前記フットサポートの内側エッジに連結されている、請求項４５のベッド。
【請求項５４】
フレーム、
前記フレームによって支持された患者支持体、
側方で離隔した第一および第二フットサポート、および
前記第一および第二フットサポートによりそれぞれ支持された第一および第二ふくらはぎサポートを含み、
前記フットサポートの各々が前記患者支持体または前記フレームのいずれか一方へ前記フットサポートを作動可能に連結する位置調整機構を含み、かつ
前記ふくらはぎサポートの各々はふくらはぎホルダ、および前記ふくらはぎホルダを前記フットサポートの第一および第二側エッジの一つに作動可能に連結するフットサポートカプラを含み、前記ふくらはぎサポートは保管位置と使用位置間で前記フットサポートに対して移動する構成である、ベッド。
【請求項５５】
前記ふくらはぎサポートは更に前記フットサポートにより支持されたアーム、および前記アームと前記ふくらはぎホルダを連結するふくらはぎホルダカプラを含む、請求項５４のベッド。
【請求項５６】
前記フットサポートカプラの第一および第二側エッジ間に長軸が形成され、前記フットサポートカプラはピボット軸を形成し、かつ前記フットサポートの長軸は前記フットサポートカプラのピボット軸と実質的に平行である、請求項５４のベッド。
【請求項５７】
前記位置調整機構は、前記第一および第二フットサポートを前記患者支持体または前記フレームのいずれか一方に連結して前記第一および第二フットサポートの実質的垂直軸および実質的水平軸を中心とする移動を可能にする、請求項５４のベッド。
【請求項５８】
前記第一および第二フットサポートの第一および第二側エッジはそれぞれ内側エッジおよび外側エッジであり、前記フットサポートカプラの各々はそれぞれのフットサポートカプラの内側エッジに連結されている、請求項５４のベッド。
【請求項５９】
前記ふくらはぎサポートの各々は、前記患者支持体上の患者のふくらはぎを受けることのできる凹状ふくらはぎ支持面を含み、前記ふくらはぎホルダは、ふくらはぎサポートが保管位置にあるときに、前記凹状ふくらはぎ支持面が前記フットサポートに対面してかつ前記フットサポートに概ね平行に整列する前記フットサポートの下の押し込み位置にある、請求項５４のベッド。
【発明の詳細な説明】
【０００１】
［発明の背景］
本発明は病院用ベッド、カート、椅子、およびストレッチ等の患者支持体に関する。更に具体的には、本発明は患者支持体のフット部、および支持面解放システムに関する。
【０００２】
病院用ベッドおよび他の患者支持体は、シートセクションに隣接して位置決めされかつ横切る方向に離隔した調整自在フットサポートをしばしば有する。シートセクションおよびフットサポートはその間に中心開口部を形成するように構成される。かかる患者支持体の例は、ＵＳ特許第６２２６８２１号に開示されており、この特許は本発明の譲受人に譲渡され、かつここに参考として組み込まれることを明記する。
【０００３】
かかる従来技術による患者支持体は患者の骨盤領域への介護人によるアクセスを改善しているが、従来フットサポートの改良に対するニーズは現存している。更に具体的には、フットサポートの調整機構の改良に対するニーズがある。患者の骨盤領域の視界を高めるフットサポートに対するニーズが高い。
【０００４】
［発明の概要］
本発明による患者支持体またはベッドは、ヘッド部、シート部、およびフット部を含む患者支持体を支持するフレームを含み、前記シート部は前記ヘッド部と前記フット部の中間に位置するシート部を含む。前記フット部はフットセクションおよび側方に離隔したフットサポートを含む。前記フットサポートは実質的垂直軸を中心に第一運動し、かつ実質的水平軸を中心に第二運動する構成である。各前記フットサポートは第一および第二フレームセクション、前記フレームセクション間に延在する可撓性ハウジングセクション、第二フレームセクションに連結されたフットパネル、第二フレームセクションに連結されたハンドル、および位置調整機構を含む。前記位置調整機構は実質的垂直軸および実質的水平軸を中心とする前記フットパネルの前記フレームに対する運動を促進する。
【０００５】
前記位置調整機構は、ハンドル、第一および第二クラッチ、前記ハンドルと前記第一および第二クラッチ間にそれぞれ延在する第一および第二リンク装置、ならびに前記実質的水平軸を中心に上方へ第二フレームセクションを付勢するためのバネを含む。
【０００６】
前記クラッチは前記フットパネルと前記フレーム間の相対的運動が不可能となる係合位置と、前記相対的運動が可能となる係合解除位置に位置決めされてよい。前記ハンドルのピボット軸を中心とする第一方向への移動は第一および第二リンク装置を移動させ、順次、第一および第二クラッチをその係合位置から係合解除位置へ移動させる。
【０００７】
照明組立体が前記フットサポートの少なくとも一つに連結されている。前記照明組立体はベースブラケット、光源、および前記ベースブラケットと前記光源間に延在するアーム、および電力コードを含む。前記ベースブラケットはベース、および前記アームを受けかつ取り外し自在に保持するアームカプラを含む。前記アームは可撓性部、および前記可撓性部に照明ハウジングを連結する自在継手を含む。
【０００８】
前記フット部はそのフット部上の患者に対して上方で対面する上面、および患者から離れて下方に対面する下面または保管面を有する除去自在のフットセクションを含む。保持器が前記保管面に連結されかつ前記照明体のアームを取り外し自在に保持するように構成されている。
【０００９】
本発明による患者支持体の他の形態において、ふくらはぎサポートが前記フットサポートに連結されていて前記フットサポートに対して移動するように構成されている。各ふくらはぎサポートはフットサポートカプラ、アーム、ふくらはぎホルダ、および前記ふくらはぎホルダと前記アームの中間に位置するふくらはぎホルダカプラを含む。前記アームおよび前記ふくらはぎサポートのふくらはぎホルダは前記フットサポートに対してピボット軸を中心に保管位置と使用位置間で移動自在である。戻り止めが前記アームにより前記ふくらはぎホルダ１３を支持するロッドと相互作用してその運動制御する。更に、前記アームは前記戻り止めと前記ロッド内に形成された孔の相互作用により前記保管位置および使用位置において前記フットサポートカプラに対して所定に係止される。
【００１０】
本発明による患者支持体の他の形態において、アクチュエータが前記シート部に対して前記ヘッド部を上昇位置もしくは起立位置と下降位置間で移動させるために設けられている。解放システムが前記アクチュエータと相互作用して前記ヘッド部を下降させるために他の機構を提供する。前記解放システムはアクチュエータカプラ、第一および第二ハンドル、前記アクチュエータカプラと第一および第二ハンドル間にそれぞれ延在する第一および第二ケーブル、および第一および第二バネを含む。前記アクチュエータ解放スイッチを含み、かつ前記アクチュエータカプラは前記解放スイッチへ連結されている。前記解放スイッチの作動は前記ヘッド部上に前記アクチュエータにより加わる力を解放して、前記ヘッド部がその起立位置から下降位置へ移動するようにする。
【００１１】
本発明の他の特徴は添付図面との関係で続く詳細な説明を検討することにより当業者には理解されるであろう。
【００１２】
［図面の詳細な説明］
ヘッド部１４、シート部１６およびフット部１８を含む患者支持体を支持するフレーム１２を含む病院用ベッドが図１に示されている。ヘッド部１４はシート部１６によりフット部１８から離隔している。更に詳細に後述するように、ヘッド部１４、シート部１６およびフット部１８は相互に対する運動のために関節結合されてよい。フット部１８は、図１および２に示されたように、フットセクション２０および側方向に離隔したフットサポート２２，２４を含む。図示形態において、病院用ベッド１０は出産用ベッドであり、かつフットセクション２０は病院用ベッド１０の残部から選択的に除去可能であって図２に示されたように病院用ベッド１０上の患者へのアクセスを可能にする。フットセクション２０が病院用ベッド１０の残部に連結されるときに、フットサポート２２，２４は図１に示されたようにフットセクション２０の下に位置決めされる。フットセクション２０の除去は図２に示されたようにフットサポート２２，２４を露出する。
【００１３】
フットサポート２２，２４は、図２に示されたように、参照番号２８，３０の方向へ実質的垂直軸２６を中心に、かつ参照番号３４，３６の方向へ実質的水平軸３２を中心に移動自在であり、それによりフットサポート２２，２４は所望位置へ設置できる。各フットサポート２２，２４は第一および第二フレームセクション３８，４０、フレームセクション３８，４０間に延在する可撓性ハウジングセクション４２、第二フレームセクション４０に連結されたフットパネル４４、第二フレームセクション４０に連結されたハンドル４６、および位置調整機構４８を含む。フットパネル４４は患者の足を受けることのできる寸法および形状の凹部５０を含む構成である。
【００１４】
位置調整機構４８は参照番号２８，３０，３４，３６の方向へ軸２６，３２を中心にフレーム１２に対してフットパネル４４を移動させることができ、それによりフットパネル４４は凹部５０に患者の足を受けるように位置決めされる。図４に示されたように、位置調整機構４８はハンドル５２、第一および第二クラッチ５４，５６、ハンドル５２と第一および第二クラッチ５４，５６間にそれぞれ延在する第一および第二リンク装置５８，６０、およびバネ６２を含む。
【００１５】
クラッチ５４，５６はフットパネル４４とフレーム１２との相対的運動が阻止される係合位置、およびその相対的運動が可能な係合解除位置に位置決めできる。例えば、第一クラッチ５４が係合解除するときに、フットパネル４４は図４および５に示されたように垂直軸２６を中心にフレーム１２に対して移動でき、かつ第二クラッチ５６が係合解除するときに、フットパネル４４は図６および７に示されたように水平軸３２を中心にフレーム１２に対して移動できる。
【００１６】
クラッチ５４，５６を係合位置と係合解除位置間へ移動させるために、介護人は位置調整機構４８のハンドル５２をピボット軸６８を中心に参照番号６４，６６の方向へ移動させる。上述したように、ハンドル５２は、それぞれ第一および第二クラッチ５４，５６へ連結された第一および第二リンク装置５８，６０に連結されている。好適形態において、クラッチ５４，５６は通常は係合位置にあり、かつハンドル５２はクラッチ５４，５６と係合解除するために参照番号６４の方向へ介護人が移動させなければならない。ハンドル５２を参照番号６４の方向へピボット軸６８を中心に移動させることによりリンク装置５８，６０はクラッチ５４，５６を係合位置から係合解除位置へ移動させる。位置調整機構４８のハンドル５２がフットサポート２２，２４のハンドル４６に隣接設置されると、介護人は同時に両ハンドル４６，５２をクラッチ５４，５６を係合解除するように掴んでフットサポート２２，２４を参照番号２８，３０，３４，３６の方向へ軸２６，３２を中心に移動させる。
【００１７】
クラッチ５４，５６の各々は図４に示されたようにクランプ７０、およびクランプ７０へ延びたロッド７２を含む。クランプ７０は、クランプ７０がロッド７２と相互作用してロッド７のクランプ８７０への移動を阻止する係合位置と、ロッド７２のクランプ７０への移動を可能にする係合解除位置との間を移動可能である。このようにして、ロッド７２は、クランプ７０が係合解除位置のときに、クランプ７０に対して移動可能である。
【００１８】
フットサポート２２，２４の参照番号２８，３０の方向への垂直軸２６を中心とする移動もしくは運動を可能にするために、第一クラッチ５４のクランプ７０はフレーム１２に連結され、かつ第一クラッチ５４のロッド７２はフットサポート２２，２４のフレームセクション３８に連結される。各フットサポート２２，２４の第一フレームセクション３８はロッドサポート７４を含み、かつ第一クラッチ５４のロッド７２の端はロッドサポート７４に枢軸回転自在に連結される。
【００１９】
第一クラッチ５４のクランプ７０は、フレーム１２に固定されるフットサポート２２，２４部によってフレーム１２へ連結される。フットサポート２２，２４の固定部はブッシング７６およびブッシング７６に連結されたクランプサポート７８を含む。病院用ベッド１０のフレーム１２は、図１−５に示されたように、ブッシング７６に形成された孔８２へ垂直上方に延びたポスト８０を含む。フットサポート２２，２４はこのポスト８０を中心に回転しかつ従ってポスト８０は垂直軸２６を形成する。図４および５に示されたように、ブッシング７６はキー溝もしくはスロット８４を含み、かつンポスト８０は、フレーム１２に対してブッシング７６およびクランプサポート７８の回転位置を固定するためにスロット８４内に位置決めされるキー８６を含む。クランプ７０は、フレーム１２に対するクランプ７０の枢軸回転を可能にするクランプサポート７８に枢軸回転自在に連結されている。
【００２０】
第一クラッチ５４が係合位置にあるときに、フットパネル４４はポスト８０により形成される垂直軸２６を中心とする参照番号２８，３０方向への回転を阻止される。この回転は、ロッド７２の位置がクランプ７０の位置に対して固定されることにより阻止される。垂直軸２６を中心にフットパネル４４を移動させるために、第一クラッチ５４は係合解除位置へ移動し、それによりロッド７２および従ってブッシング７６およびクランプサポート７８以外のフットサポート２２，２４の全部がクランプ７０およびフレーム１２に対して移動するようになる。第一クラッチ５４が係合解除位置になりかつ使用者が垂直軸２６を中心に参照番号２８，３０の方向へフットサポート２２，２４を移動させるときに、ロッド７２は軸路に沿ってクランプ７０へ移動する。クランプ７０が回転自在にクランプサポート７８に連結されてポスト８０により形成される垂直軸２６と平行の垂直軸８８を中心に軸回転する。第一クラッチ５４が係合解除しかつ介護人がフットサポート２２，２４を垂直軸２６を中心に参照番号２８，３０の方向へ移動させるときに、クランプ７０は垂直軸８８を中心に回転してロッド７２の回転およびクランプ７０への軸方向移動を可能にする。
【００２１】
第二クラッチ５６は同様に係合位置と係合解除位置間を移動可能であって、図６および７に示されたように水平軸３２を中心とする参照番号３４，３６方向への第一および第二フレームセクション３８，４０の相対的運動を可能にする。第一クラッチ５４の構成と同様に、第二クラッチ５６は第一フレームセクション３８に連結されたロッド７２および第二フレームセクション４０に連結されたクランプ７０を有する。第一フレームセクション３８は第二クラッチ５６のロッド７２に枢軸回転自在に連結されたロッドサポート９０を含み、かつ第二フレームセクション４０は第二クラッチ５６のクランプ７０に枢軸回転自在に連結されたクランプサポート９１を含む。ピボット軸９２はロッド７２の端をロッドサポート９０に枢軸回転自在に連結し、それによりロッド７２がピボット軸９２により形成されるピボット軸９４を中心に軸回転するようにする。第二クラッチ５６が係合解除位置のときに、ロッド７２はクランプ７０へ移動可能であって、第二フレームセクション４０の第一フレームセクション３８に対する参照番号３４，３６方向への水平軸３２を中心とする回転を可能にし、かつ第二クラッチ５６が係合位置のときに、この運動は不可能になる。ロッド７２はクランプ７０に対して軸方向へ移動し、かつ第二フレームセクション４０が水平軸３２を中心に回転するときにピボット軸９４を中心に軸回転する。図示形態において、第一および第二クラッチ５４，５６はカルフォルニア州、ウッドランドヒルのＰ．Ｌ．Ｐｏｒｔｅｒ　Ｃｏｎｔｒｏｌｓ，　Ｉｎｃ．から購入できるＭｅｃ−Ｌｏｋ（商標）である。他の形態において、他のタイプの装置、例えばキー／スロット装置を使用してフレームに対するフットパネルの運動を可能かつ阻止することができる。図示形態において、リンク装置５８，６０は、ハンドル４６の回転運動をクラッチ５４，５６へ伝達するワイヤである。他の形態において、ギア、機械的リンク、電気信号用電線、光信号に対する光繊維線を含む他のタイプのリンク装置が使用できる。
【００２２】
バネ６２は介護人が第二フレームセクション４０を水平軸３２を中心に参照番号３４の方向へ上昇移動させるのを補助できる形態である。従って、介護人がハンドル５２を第二クラッチ５６を係合解除するために移動するときに、バネ６２は第二フレームセクション４０を参照番号３４の方向において上方へ付勢する。このバネ６２による付勢力は第二フレームセクション４０の重量およびフットサポート２２，２４内に置かれた患者の足により生じるいずれの重力または重量をも補償する。
【００２３】
介護人が参照番号３６の方向へフットサポート２２，２４を下降させるときに、介護人はフットサポート２２，２４をバネ７６２の付勢力に対して動かす必要がある。しかし、第二フレームセクション４０の重量、または患者の足による重力かつ／または重量によりその付勢力に対する介護人の運動は軽減される。
【００２４】
図示形態において、バネ６２は、図４および５に示されたように、第二フレームセクション４０に枢軸回転自在に連結されたシリンダ９６および第一フレームセクション３８に枢軸回転自在に連結されたピストン９８を有するガススプリグである。ガススプリング６２はピストン９８をシリンダ９６から離れる参照番号１１０の方向へ付勢して、上述したように介護人が第二フレームセクション４０を上昇するのを補助する。他の形態において、コイルスプリング等の他の装置が介護人が第二フレームセクションを第一フレームセクションに対して上昇させるのを補助するために使用できる。
【００２５】
図３を参照すると、可撓性ハウジングセクション４２は第一および第二フレームセクション３８，４０と、第一フレームセクション３８を覆うカバー部１１４との間に延在するベロー部１１２を含む。第二フレームセクション４０が第一フレームセクション３８に対して移動するときに、可撓性ハウジングセクション４２は膨張または収縮してクラッチ５４，５６、バネ６２およびリンク装置５８，６０に対して連続ハウジングを維持する。可撓性ハウジングセクション４２は第一および第二フレームセクション３８，４０と共働してクラッチ５４，５６、バネ６２およびリンク装置５８，６０と物質が接触することを阻止または少なくとも最小限にする。
【００２６】
病院用ベッド１０は、図２および３に示されたように、フットサポート２２に連結された照明組立体１２０を更に含む。照明組立体１２０はベースブラケット１２２、光源１２４、ベースブラケット１２２と光源１２４間に延在するアーム１２６、および電線コード１２８を含む。ベースブラケット１２２はベース１３０、およびアーム１２６を受けかつ保持するアームカプラ１３２を含む。ベース１３０は第一および第二孔１３４，１３６を含み、かつ図３および８に示されたように孔１３４，１３６へ侵入する螺子またはカプラ１３８によりフットサポート２２の第二フレームセクション４０へ連結される。これらの螺子１３８はハンドル４６を第二フレームセクション４０へ連結する。ブラケット１２２を設置するために、螺子１３８が除去され、ブラケット１２２がハンドル４６と第二フレームセクション４０間に位置決めされ、かつ螺子１３８がハンドル４６およびブラケット１２２の孔１３４，１３６から第二フレームセクション４０へ螺合される。他の形態において、ベース１３０は第一および第二スロット（図示せず）を含み、かつブラケット１２２は螺子１３８を除去する代わりに螺子１３８を緩め、ブラケット１２２をハンドル４６と第二フレームセクション４０間に摺動させて、設置する。そのようにして、螺子１３８はスロット内に受けられ、その後に螺子を締めつける。
【００２７】
図８および９を参照すると、ブラケット１２２のアームカプラ１３２はＣ形でありかつ離隔端面１４０，１４２、離隔端面１４０，１４２間に延在する実質的円形の外面１４４、および離隔端面１４０，１４２間に延在する七つの分離した明瞭な内面１４６，１４８，１５０，１５２，１５４，１５６，１５８を含む。五つの内面１４６，１４８，１５０，１５２，１５４は六角形開口部１６０を形成し、その中にアーム１２６がアーム１２６をブラケット１２２に連結するために設置される。アーム１２６は、図３，８および９に示されたように、アーム１２６とブラケット１２２を連結するためにブラケット１２２の六角形開口部１６０に適合する寸法および形状を有しかつ開口部１６０まで延在してそこに位置決めされる六角形部材１６２を含む。他の二つの内面１５６，１５８は六角形開口部１６０と連通するスロット１６４を形成する。図示形態において、両スロット１６４および六角形開口部１６０は端面１４０から端面１４２へ延在する。他の形態において、アームカプラ１３２はいずれかの形状を有する開口部を形成してよく、かつアーム１２６はアーム１２６とブラケット１２２を連結するために開口部内に位置決めできる寸法および形状の部材を含んでよい。他の形態において、アームカプラ１３２はアーム１２６を受けかつ保持するいずれの構造であってもよい。例えば、アームカプラ１３２は相互に対して移動可能であり、かつ開口部を形成するために共働する第一および第二弾性部材を含んでよい。アーム１２６が開口部内に位置決めされると、第一および第二部は最初にアーム１２６を受けるために膨張し、かつ次にアーム１２６を圧縮してアーム１２６をブラケット１２２へ連結する。
【００２８】
図３および１０を参照すると、光源１２４は照明体１６６、照明ハウジング１６８、ハウジング１６８に連結されたハンドル１７０、およびハウジング１６８に連結された電源スイッチ１７２を含む。図示形態において、アーム１２６は可撓性リンクまたは可撓性部１７４、および照明ハウジング１６８を可撓性部１７４に連結する自在継手１７６を含む。可撓性部１７４および自在継手１７６は介護人による光源１２４のハンドル１７０把持を可能にし、かつ光源１２４の所望位置および配向への移動を可能にする。可撓性部１７４と自在継手１７６との組合はアーム１２６に６段階の自由度を付与する。他の形態において、アームは、数段階の自由度をアームに付与するために複数の剛性かつ可撓性リンク、継手等を含んでよく、そのようにして光源を所望位置へ所望配向で設置できる。
【００２９】
電力コード１２８は光源１２４に連結された第一端（図示せず）、および第二端１８０を有する電線１７８、および電線１７８の第二端１８０に連結されたカプラまたはプラグ１８２を含む。電線１７８は光源１２４からアーム１２６およびブラケット１２２を通ってカプラ１８２へ延びている。アーム１２６がブラケット１２２に連結されると、アーム１２６の六角形部材１６２はブラケット１２２内に形成された六角形開口部内に位置決めされ、かつ電線１７８がブラケット１２２のアームカプラ内に形成された六角形開口部１６０へ延びるように電線１７８はブラケット１２２内に形成されたスロット１６３４へ押される。
【００３０】
病院用ベッド１０は図３に示されたように病院用ベッド１０のシート部１６に連結された電力供給源１８４を更に含む。電力コード１２８のカプラまたはプラグ１８２は光源１２４に電力を供給するために電力供給源１８４へ差し込まれる。好適形態において、電力供給源１８４はハウジング１８６およびハウジング１８６内のジャケット（図示せず）を含む。他の形態において、電力コードのプラグは病院用ベッド１０から遠隔の他の電源に接続された電源を含んでよい。
【００３１】
照明組立体１２０が使用されない場合には、介護人は照明組立体１２０を病院用ベッド１０の除去可能フットセクション２０の下に位置する保管領域１８７内に保管されてよい。フットセクション２０はフットセクション２０上の患者に対して上方で対面する上面１８８、患者から離れる下方に対面する下面または保管面１９０、および下面１９０に連結されるクリップまたはカプラ１９２等の保持部材を含む。クリップ１９２は照明組立体１２０のアーム１２６を取り外し自在に受けかつ保持できる構成である。図示形態において、カプラ１９２は照明組立体１２０のアーム１２６上に係止する弾性クリップである。クリップ１９２は開口部またはスロット１９８により分離されて対峙する第一および第二アーム１９４および１９６を含んでよい。作用として、照明組立体１２０のアーム１２６はスロット１９８を通過しかつ第一および第二アーム１９４および１９６により取り外し自在に保持される。すでに理解されているように、他の形態において、照明組立体１２０は他の保持部材によりフットセクションへ取り外し自在に連結されてよい。例えば、光源１２０は単一クリップ、一つまたはそれ以上のフック−ループ式ファスナ、一つまたはそれ以上のクランプ、または従来保持部材の組合せによりフットセクション２０へ連結されてよい。
【００３２】
他の形態の病院用ベッド１０’が図１１に示され、この病院用ベッドは、患者支持体を支持するフレーム１２を含む。患者支持体はヘッド部１４、シート部１６、およびフット部１８を含む。フット部１８は、図１１および１２に示されたように、フットセクション２０、フットサポート２２，２４、およびふくらはぎサポート２２６，２２８を含む。図形態において、病院用ベッド１０’は出産ベッドであり、かつフットセクション２０は図１２に示されたように病院用ベッド１０’上の患者へアクセスするために病院用ベッド１０’の残部から選択的に除去自在である。フットセクション２０が病院用ベッド１０’の残部に連結されるときに、フットサポート２２，２４およびふくらはぎサポート２２６，２２８は図１１に示されたようにフットセクション２０の下に位置決めされる。フットセクション２０の除去は図１２に示されたようにフットサポート２２，２４およびふくらはぎサポート２２６，２２８を露出する。
【００３３】
フットサポート２２，２４は、図１３に示されたように、参照番号２８，３０の方向へ実質的垂直軸２６を中心にかつ参照番号３４，３６の方向へ実質的水平軸３２を中心に移動可能であり、それによりフットサポート２２，２４は所望方向へ設置できる。フットサポート２２，２４は図１−７を参照して詳細に上述したものと同様である。
【００３４】
ふくらはぎサポート２２６，２２８はそれぞれフットサポート２２，２４の側方向に離隔対峙した側エッジ２２７および２２９の一つに連結される（図１４および１６）。各フットサポート２２，２４の長軸２３１は側エッジ２２７および２２９の中間に形成されている。そのようにして、ふくらはぎサポート２２６および２２８はそれぞれフットサポート２２，２４に対して移動する。図１３に示されたように、ふくらはぎサポート２２６，２２８は、フットサポート２２，２４が垂直軸２６および水平軸３２を中心に移動するときにフットサポート２２，２４と共に移動する。更に、ふくらはぎサポート２２６，２２８は図１３に示された保管位置と図１８に示された使用位置間でフットサポート２２，２４に対して移動可能である。
【００３５】
フットサポート２２，２４の各々は、図１４に示されたように、フットサポートカプラ２４２、アーム２４４、ふくらはぎホルダ２４６、およびふくらはぎホルダ２４６とアーム２４４間に位置するふくらはぎホルダカプラ２４８を含む。フットサポートカプラ２４２は、図１４および１５に示されたように、フットサポート２２２，２２４に連結された本体２５０、戻り止め２５２、およびロッド２５４を含む。本体２５０はアーム２４４を受ける寸法の第一孔２５６、ロッド２５４を受ける寸法の第二孔２５８、および戻り止め２５２を受ける寸法の第三孔２６０を含む。アーム２４４はフットサポートカプラ２４２に連結された第一端２６２、カプラ２４８に連結された第二端２６４、および第一端２６２と第二端２６４間に延在する中央部２６６を含む。アーム２４４の第一端２６２はカラー孔２７０を形成するカラー２６８を含む。アーム２４４およびロッド２５４の各々はセット螺子孔２７２，２７４を含み、かつフットサポートカプラ２４２は図１５に示されたようにセット螺子２７６を更に含む。
【００３６】
カラー２６８、ロッド７２２５４、およびセット螺子２７６は共働してアーム２４４とフットサポートカプラ２４２を連結する。アーム２４４のカラー２６８は本体２５０の第一孔２５６内に位置決めされ、かつロッド２５４は本体２５０の第二孔２５８およびアーム２４４のカラー孔２７０内に位置決めされる。セット螺子２７６は、それぞれカラー２６８およびロッド２５４のセット螺子孔２７２，２７４内に位置決めされて、アーム２４４をロッド２５４へ連結する。ロッド２５４のセット螺子孔２７４は概ね円錐形の側壁２７８により形成され、かつロッド２５４の円錐形側壁２７８と係合するセット螺子２７６の端は先細りになっている。
【００３７】
図１４に示されたように、アーム２４４およびふくらはぎサポート２２６，２２８のふくらはぎホルダ２４６は、仮想線により示された保管位置と実線により示された使用位置との間で軸２８０を中心に参照番号２８２，２８４の方向へフットサポート２２，２４に対して移動自在である。軸２８０はそれぞれのフットサポート２２，２４の長軸２３１に実質的平行に形成される。戻り止め２５２はロッド２５４と相互作用してロッド２５４、アーム２４４、およびロッド２５４により形成される軸２８０のまわりのふくらはぎホルダ２４６の運動を制御する。ロッド２５４は、戻り止め２５２と相互作用する離隔した第一および第二孔２８６，２８８を含む。アーム２４４は、戻り止め２５２とアーム２４４のロッド２５４内の孔２９６，２８８との相互作用によって保管位置および使用位置にフットサポートカプラ２４２に対して所定位置で係止される。戻り止め２５２はロッド２５４へ付勢されるので、ロッド２５４の孔２８６，２８８の一つが戻り止め２５２と整列するときに、戻り止め２５２の一部は孔２８６，２８８へ延びてロッド２５４、アーム２４４およびふくらはぎホルダ２４６のフットサポート２２，２４に対する位置を固定する。アーム２４４が保管位置のときに、孔２８６は戻り止め２５２と整列してロッド２５４、アーム２４４およびふくらはぎホルダ２４６の保管位置への固定を可能にし、かつ同様にアーム２４４が使用位置のときに、孔２８８は戻り止め２５２と整列してロッド２５４、アーム２４４およびふくらはぎホルダ２４６の使用位置への固定を可能にする。
【００３８】
図１５に示されたように、戻り止め２５２はピン２９０、バネ２９２、キャップ２９４、ハンドル２９６、およびハウジング２９８を含む。ハウジング２９８はフットサポートカプラ２４２の本体２５０の第三孔２６０に位置決めされ、かつ内部領域３１２を形成するねじ切り内面を含む。ピン２９０およびバネ２９２はキャップ２９４によりハウジング２９８の内部領域３１２内に位置決めされかつ保持される。キャップ２９４はハウジング２９８のねじ切り内面３１０へ侵入してそれと係合するねじ切り突起３１４、およびハウジング２９８と当接するフランジ３１６を含む。
【００３９】
ピン２９０は孔２８６，２８８へ延びる戻り止め２５２の一部であって、ロッド２５４、アーム２４４、およびふくらはぎホルダ２４６をフットサポート２２，２４に対して固定する。バネ２９２はピン２９０をロッド２５４へ付勢して、ピン２９０を孔２８６，２８８へ付勢し、ピン２９０が孔２８６，２８８の一つと整列するときに確実係止関係を維持する。ピン２９０はロッド３１８、ロッド３１８に連結されたヘッド３２０を含む。ヘッド３２０はロッド３１８と比較して大きい直径を有しかつ孔２８６，２８８へ延びてロッド２５４，アーム２４４およびふくらはぎホルダ２４６のフットサポート２２，２４に対する位置を固定する。ロッド３１８はバネ２９２およびキャップ２９４へ延びかつハンドル２９６に連結される。バネ２９２はロッド３１８のヘッド３２０と当接する第一端３２２、およびキャップ２９のフランジ３１６と当接する第二端３２４を含む。ピン２９０はハンドル２９６へ固定されるのみであって、キャップ２９４の位置はフットサポート２２２，２２４に対して固定されるので、バネ２９２はピン２９０のヘッド３２０をロッド２５４へ付勢する。
【００４０】
ロッド２５４、アーム２４４、およびふくらはぎホルダ２４６を軸２８０を中心に移動させるために、介護人は戻り止め２５２のハンドル２９６を、ピン２９０のヘッド３２０がアーム２４４のロッド２５４の孔２８６，２８８内に位置しなくなるまで、参照番号３２６の方向へ外方に戻り止め２５２のハンドル２９６を引っ張る。このハンドル２９６の参照番号３２６方向への運動はバネ２９２を圧縮する。ピン２９０がロッド２５４を係止しなくなるときに、介護人はアーム２４４を所望位置へ回転させることができる。アーム２４４の回転時に、介護人はハンドル２９６を解放すると、バネ２９２はピン２９０をロッド２５４へ向けて付勢して、ピン２９０のヘッド３２０をロッド２５４に隣接して位置決めし、かつピン２９０のヘッド３２０が「現れ（ｆｉｎｄｓ）」、もしくは着座し、かつ他の孔２８６，２８８へ延びてアーム２４４およびふくらはぎホルダ２４６をフットサポート２２，２４に対して所望位置で係止するまでアーム２４４を連続回転させる。他の形態において、二つを越える孔がロッド２５４上に形成されていて、アーム２４４およびふくらはぎホルダ２４６がフットサポート２２，２４に対して固定される他の位置を提供する。更に他の形態において、アーム２４４は他の従来機構によりフットサポート２２，２４に連結されてよい。
【００４１】
ふくらはぎホルダ２４６は、図１６に示されたように、患者のふくらはぎを受けかつ支持できるディッシュ３２８、およびディッシュ３２８に連結されロッド３３０を含む。ディッシュ３２８はふくらはぎサポート２２６，２２８により支持される患者のふくらはぎを支持する湾曲したふくらはぎ支持面３３２を含む。好適形態において、パッド（図示せず）がディッシュ３２８のふくらはぎ支持面３３２上に設置される。
【００４２】
カプラ２４８は図１６で仮想線により示された保管位置と図１６で実線により示された使用位置間でふくらはぎホルダ２４６のアーム２４４およびフットサポート２２，２４に対する移動を可能にする。使用位置において、ふくらはぎ支持面３３２は患者のふくらはぎに当接しかつ支持する位置に設けられる。
【００４３】
図示形態において、ディッシュ３２８、およびそのようにしてふくらはぎ支持面３３２は、カプラ２４８が自在継手またはボールジョイント型カプラであることから、無限の位置で設置できる。カプラ２４８は図１７に示されたようにスリーブ３３４、スリーブ３３４内に位置決めされたボール３３６、およびロック３３８を含む。カプラ２４８の一部、ボール３３６はふくらはぎネック２４６のロッド３３０に連結され、かつカプラ２４８の他の部、スリーブ３３４はアーム２４４の第二端２６４に連結される。
【００４４】
ロック３３８は、ボール３３６およびスリーブ３３３４が相互に対して固定される係止位置と、ボール３３６がスリーブ３３４に対して移動可能である非係止位置間を移動自在である。ロック３３８が係止位置のときに、ふくらはぎホルダ２４６はアーム２４４に対して固定され、かつロック３３８が非係止位置のときにふくらはぎホルダ２４６はアーム２４４に対して移動可能である。
【００４５】
ロック３３８はねじ切りスタッド４３４０、スリーブ３３４に連結されたキャップ３４２、およびスタッド３４０に連結されたハンドル３４４を含む。キャップ３４２はねじ切り孔３４６を含み、かつスタッド３４０は、スタッド３４０が孔３３４６に対してネジ止めまたはネジ戻しされるときにキャップ３４２内の孔３４６へ侵入するように構成されている。スタッド３４０はボール３３６に対面する面３４８を含み、かつボール３３６と係合しそれを付勢してスリーブ３３４と接触する構成である。
【００４６】
スリーブ３３４は、ボール３３６がロック３３８による付勢によりスリーブ３３４と接触するときに、ボール３３６と当接する湾曲面３５０を含む。係止位置において、ロック３３８のねじ切りスタッド３４０はボール３３６を押圧してスリーブ３３４の湾曲面３５０と接触させるので、ボール３３６は介護人がふくらはぎホルダ２４６をアーム２４４に対して移動させようとしても、スリーブ３３４に対して移動しない。非係止位置において、ねじ切りスタッド３４０は、ボール３３６がスリーブ３４４に対して移動可能となる位置にあり、従って、介護人はふくらはぎホルダ２４６をアーム２４４に対して移動させることができる。他の形態において、スリーブ３３４は、ロック３３８が係止位置のときにボール３３６が当接する円錐形面を含む。
【００４７】
図１４に示されたように、アーム２４４の中央部２６６は、ふくらはぎサポート２２６，２２８が必要とされないときに、ふくらはぎホルダ２４６およびアーム２４４をフットサポート２２，２４の下への押し込みまたは位置決めを可能にし、かつふくらはぎサポート２２６，２２８が必要とされさるときに患者のふくらはぎを受けるためにディッシュ３２８の位置決めを可能にする。アーム２４４の中央部２６６は離隔した第一および第二面３５２，３５４、ならびに第一と第二面３５２，３５４間に各々が延在する離隔第した第三および第四面３５６，３５８を含む。第一、第二、第三および第四面３５２，３５４、３５６，３５８の各々はアーム２４４の第一および第二端２６２，２６４間で湾曲している。第一および第二面３５２，３５４は平行でありかつ湾曲していて、第一面３５２が第二面３５４の半径よりも大きい半径を有する。第三および第四面３５６，３５８は平行かつ湾曲していて戻り止め２５２へのアクセスを可能にする。
【００４８】
ふくらはぎサポート２２６，２２８は図１１に示されたようにフットセクション２０とフットサポート２２，２４の下の保管位置から、図１８に示されたような使用位置へ移動自在である。ふくらはぎサポート２２６，２２８を使用位置に置くために、フットセクション２０は図１２に示されたように除去され、かつフットサポート２２，２４は図１３に示されたように垂直軸２６および水平軸３２を中心に回転する。次に、フットサポート２２，２４はアーム２４４およびふくらはぎサポート２２６，２２８のふくらはぎホルダ２４６を、図１４に示されたように仮想線により示された位置から実線により示された位置へ、軸２８０を中心に移動させるために使用される。次に、図１６に示されたように、カプラ２４８はふくらはぎホルダ２４６を仮想線で示された位置から実線で示された位置へ移動させるために使用される。使用位置におけるふくらはぎホルダ２４６の位置は（１）フットサポート２２，２４を垂直軸２６を中心に回転し、（２）フットサポート２２，２４を水平軸３２を中心に回転し、（３）アーム２４４を軸２８０を中心に回転し、かつ（４）ふくらはぎホルダ２４６のアーム２４４に対する位置を設定するカプラ２４８を調整することにより、調整できる。図１３および１８に示されたフットサポート２２，２４の位置は、ふくらはぎサポート２２６，２２８が使用位置にあるときに、フットサポート２２，２４を設置するための好適位置である。しかし、フットサポート２２，２４のこの位置は使用位置においてふくらはぎサポート２２６，２２８の位置を調整するために調整できる。
【００４９】
他の形態のフットサポートカプラ４５０およびアーム４５２は図１９に示されている。このフットサポートカプラ４５０およびアーム４５２は、ふくらはぎホルダ２４６およびふくらはぎサポート２２６，２２８のカプラ２４８と同一のふくらはぎホルダ、およびカプラを含む他の形態のふくらはぎサポート４４８の一部である。フットサポートカプラ４５０はフットサポート２２，２４に連結されかつ本体４５４、スリーブ４５６、およびふくらはぎサポート２６６，２８８の戻り止め２５２と同一の戻り止め４５８を含む。
【００５０】
アーム４５２はヘッド４６０、およびヘッド４６０に連結されかつフットサポートカプラ４５０のスリーブ４５６内に位置決めされるロッド４６２を含む。ヘッド４６０およびロッド４６２を除いて、アーム４５２の他の部はふくらはぎサポート２２６，２２８のアーム２４４と同一である。ロッド４６２は、戻り止め４５８と共働してアーム４５２を保管位置および使用位置においてフットサポート２２，２４に対して係止する。他の形態において、ロッド４６２は他の孔を含み、アーム４５２がフットサポート２２，２４に対して係止できる他の位置を提供するものであってよい。
【００５１】
戻り止め２５２について上述したように、戻り止め４５８の一部は孔４６４，４６６へバネ付勢されて延び、保管位置および使用位置のそれぞれにおいてアーム４５２をフットサポート２２，２４に対して係止させる。戻り止め４５８が孔４６４，４６６と整列しないでアーム４５２をフットサポート２２，２４に対して係止する場合には、介護人は（１）フットサポート２２，２４に対して軸４６８を中心にアーム４５２を回転してアーム４５２を保管位置と使用位置間に移動させるか、または（２）ロッド４６２をフットサポートカプラ４５０のスリーブから摺動させてアーム４５２、ふくらはぎホルダ２４６、およびカプラ２４８をフットサポートカプラ４５０およびフットサポート２２，２４から除去することができる。
【００５２】
患者支持体１０’は、図２０に示されたように、支持面３６０、アクチュエータ３６２、および解放システムまたはＣＰＲ解放装置３６４を含む。支持面３６０は、図１に示されたように、患者支持体１０’のヘッド部、シート部、およびフット部１４，１６，１８上に広がる。図示形態において、支持面３６０のヘッド部１４、シート部１６、およびフット部１８は相互に対して移動自在である。
【００５３】
アクチュエータ３６２は、図１１，１２，２０に示されたように、支持面３６０のヘッド部１４が支持面３６０のシート部１６に対して上昇する上昇位置と、支持面３６０のヘッド部１４およびシート部１６が実質的に同一面になる、または支持面３６０のヘッド部１４が支持面３６０に対してシート部１６に対して下降位置となる下降位置との間で支持面３６０のヘッド部１４を移動させる。アクチュエータ３６２は、支持面３６０のヘッド部１４を上昇位置と下降位置間で患者かつ／または介護人がアクセスできる制御装置（図示せず）により移動させるために作動する。アクチュエータ３６２はフレーム１２のヘッド部１４と患者支持体１０’の支持面３６０の中間に連結される。アクチュエータ３６２は支持面３６０のヘッド部１４を上昇位置と下降位置間で図２０に示されたように軸３６１を中心に回転することにより移動させる。
【００５４】
支持面３６０のヘッド部１４は上昇位置に維持できる。アクチュエータ３６２が支持面３６０のヘッド部１４を上昇位置に維持するときに、アクチュエータ３６２は支持面３６０のヘッド部１４上の力を維持する。図示形態において、アクチュエータはＫＹ州、Ｌｉｎａｋ　ｏｆ　Ｌｏｕｉｓｖｅｌｌから入手できるモデル番号ＬＡ３４５２Ｈ＋１Ｈ１５９０４ＸのＬｉｎａｋ（商標）である。
【００５５】
解放システム３６４はアクチュエータ３６２と相互作用して他の機構（上述の制御装置に加えて）を設けて支持面３６０のヘッド部１４を下降させる。図２０に示されたように、解放システム３６４はアクチュエータカプラ３６６、第一および第二ハンドル３６８，３７０、アクチュエータカプラ３６６と第一および第二ハンドル３６８，３７０のそれぞれとの間に延在する第一および第二ケーブル３７２，３７４、ならびに第一および第二バネ３７６，３７８を含む。図２１に示されたように、アクチュエータ３６２は解放スイッチ３８０を含み、かつアクチュエータカプラ３６６は解放スイッチ３８０に連結されている。このスイッチ３８０の作動は支持面３６０のヘッド部１４上にアクチュエータ３６２により加わる力を解放してヘッド部１４が上昇位置から下降位置へ移動するようにする。
【００５６】
第一および第二ハンドル３６８，３７０は図２０に示されたように患者支持体１０の両側に位置決めされる。第一ケーブル３７２が第一ハンドル３６８からアクチュエータカプラ３６６へ延在し、かつ第二ケーブル３７４が第二ハンドル３７０からアクチュエータカプラ３６６へ延在する。ケーブル３７２，３７４の各々はシース３８２、およびシース３８２へ延びたワイヤ３８４を含む。
【００５７】
アクチュエータカプラ３６６は、図２１に示されたように、解放スイッチ／ケーブルカプラ３８６、ケーブルガイド３８８、ならびに第一および第二ケーブルガイドカプラ３９０，３９２を含む。解放スイッチ／ケーブルカプラ３８６およびケーブルガイド３８８は相互に対して移動する分離部である。
【００５８】
ケーブルガイド３８８はワイヤ３８４のケーブルガイド３８８から解放スイッチ／ケーブルカプラ３８６への通過を可能にするが、シース３８２のケーブルガイド３８８からスイッチ／ケーブルカプラ３８６への移動を可能にしない。ケーブルガイド３８８は本体３９４、ならびに本体３９４に連結された第一、第二、および第三突起３９６，３９８，４１０を含む。突起３９６，３９８，４１０はワイヤ３８４を受けるが、第一および第二ケーブル３７２，３７４のシース３８２を受けない寸法の開口部４１２，４１４を形成する。従って、ワイヤ３８４は開口部４１２，４１４への通過は可能であるが、シース３８２の開口部４１２，４１４への通過は不可能である。
【００５９】
ケーブルガイド３８８は第一および第二ケーブルガイドカプラ３９０，３９２によりアクチュエータ３６２に連結される。図示形態において、ケーブルガイドカプラ３９０，３９２は、図２１に示されたように、アクチュエータ３６２およびケーブルガイド３８８の本体３９４のまわりを包むプラスチックタイ（ｔｉｅｓ）である。
【００６０】
解放スイッチ／ケーブルカプラ３８６は本体４１６、本体４１６に連結された第一、第二および第三突起４１８，４２０，４２２、孔４２４、ならびにカプラ４２６を含む。第一、第二および第三突起４１８，４２０，４２２は第一および第二ケーブル３７２，３７４のワイヤ３８４が延長する第一および第二開口部４２８，４３０を形成する。第一および第二ケーブル３７２，３７４の各々はワイヤ３８４の端に連結された拡大端４３２を更に含み、ワイヤ３８４をアクチュエータカプラ３６６へ固定する。第一ケーブル３７２の拡大端４３２は本体と第一および第二突起４１８，４２０間に当接して位置決めされ、第一ケーブル３７２をアクチュエータカプラ３６６に固定し、かつ同様に第二ケーブル３７４の拡大端４３２は本体４１６と第二および第三突起４２０，４２２間に当接して位置決めされて第二ケーブル３７４をアクチュエータカプラ３６６へ固定する。解放スイッチ３８０は図２１に示されたように孔４２２４へ伸長している。カプラ４２６は解放スイッチ３８０に連結されかつ本体４１６に当接して、解放スイッチ３８０を解放スイッチ／ケーブルカプラ３８６へ連結し、それにより解放スイッチ３８０は解放スイッチ／ケーブルカプラ３８６と共に移動する。
【００６１】
ハンドル３６８，３７０のいずれかは図１１に示されたように参照番号４３４の方向へ移動するときに、ケーブル３７２，３７４の一つがこの運動をアクチュエータカプラ１６６のスイッチ／ケーブルカプラ１８６およびアクチュエータ３６２の解放スイッチ３８０へ伝達する。この運動は解放スイッチ３８０を作動させるので、アクチュエータ３６２は支持面３６０のヘッド部１４上の力を解放し、かつ支持面３６０のヘッド部１４は上昇位置から下降位置へ移動できるようにする。ハンドル３６８，３７０が解放されるときに、アクチュエータ３６２の解放スイッチ１８６（３８６）はバネ付勢されて、図２０に示されたように、ケーブル３７２，３７４およびハンドル３６８，３７０を初期位置へ復帰させる。
【００６２】
第一および第二バネ３７６，３７８は支持面３６０のヘッド部１４の上昇位置から下降位置への移動を補助する。支持面３６０のヘッド部が上昇位置から下降位置へ移動するときに、第一バネ３７６が付勢されて支持面３６０のヘッド部１４の運動を鈍化または遅延させる。第二バネ３７８は支持面３６０のヘッド部１４を上昇位置から下降位置へ向けて下方へ押すために付勢される。図示形態において、第一および第二バネ３７６，３７８はガスバネである。他の形態において、バネ３７６，３７８は必要とされる付勢力を提供するコイルバネ等のいずれのタイプの機構であってもよい。
【００６３】
解放システム３６４は、病院用ベッド１０の支持面３６０上の患者が心停止になって急速に患者支持体１０のヘッド部１４を下降させるような場合にも使用できる。好適形態において、解放システム３６４は患者支持面３６０のヘッド部１４を他の上記制御装置よりも迅速に下降させる。
【００６４】
本発明は好適形態を参照して詳細に説明されたが、種々の変更および改変が特許請求の範囲に記載したように本発明の範囲および精神において可能である。
【図面の簡単な説明】
【図１】
ヘッドセクション、シートセクション、フットセクション、およびフットセクション下に位置決めされた二つのフットサポートを有する患者支持体の斜視図である。
【図２】
フットセクションを除去してフットサポートを露出した状態およびフットサポートが移動自在であることを示す図１と同様の斜視図である。
【図３】
フットサポートに連結された光源を示すフットサポートの一つの斜視図である。
【図４】
説明のためにフットサポートのハウジングを除去し、フットサポートの位置調整機構を示す図３のフットサポートの底面図である。
【図５】
第一位置（仮想線）および第二回転位置（実線）間で移動自在のフットサポートを示す図４と同様の底面図である。
【図６】
実質的水平位置のフットサポートを示すフットサポートの側立面図である。
【図７】
実質的水平位置（仮想線）と起立位置（実線）間を移動するフットサポートの一部を示す図６と同様の側立面図である。
【図８】
フットサポートの一部および光源の一部の分解斜視図である。
【図９】
ブラケットに挿入されたアームを示す図８の９−９線に沿った断面図である。
【図１０】
ベッドのフットセクションの保管面に連結された光源の立面図である。
【図１１】
ヘッド部、シート部、およびフットセクション、およびフットセクション下に位置決めされた二つのフットサポートを含むフット部を有する他の患者支持体の斜視図である。
【図１２】
フットセクションを除去してフットサポートを露出した状態および各フットサポートの下に位置決めされたふくらはぎサポートを更に含む患者支持体を示す図１１と同様の斜視図である。
【図１３】
実質的垂直軸を中心に下方へ回転しかつ実質的水平軸を中心に上方へ回転するフットサポートの各々を示す図１２と同様の斜視図である。
【図１４】
フットサポートカプラ、ふくらはぎホルダ、ふくらはぎホルダへ向けてフットサポート環境から延びたアーム、および保管位置（仮想線）と使用位置（実線）間を移動自在のアームとふくらはぎサポートのふくらはぎホルダ間に位置決めされた他のカプラを含むふくらはぎサポートを示す図１３のふくらはぎサポートの一つの斜視図である。
【図１５】
フットサポートカプラおよびふくらはぎサポートのアームの一部の分解斜視
図である。
【図１６】
保管位置（仮想線）から使用位置（実線）へ回転するふくらはぎサポートのふくらはぎホルダを示す図１４と同様の斜視図である。
【図１７】
一部を欠いたカプラ、およびアームおよびふくらはぎホルダの斜視図であってふくらはぎホルダにアームを連結するカプラを示す。
【図１８】
使用位置のふくらはぎサポートを示す図１３と同様の斜視図である。
【図１９】
他のフットサポートカプラおよびふくらはぎサポートのアームの一部の図１５と同様の斜視図である。
【図２０】
フレーム、支持面、および解放システムを含む患者支持体を示す、図１１に示した患者支持体の切欠き部を含む斜視図である。
【図２１】
図２０の解放システムの一部の斜視図である。
【図２２】
作動により支持面のヘッド部を下降させる解放システムを示す図２０と同様の切欠き部を含む斜視図である。
【国際公開パンフレット】
2004510460.tif 000003
2004510460.tif 000004
2004510460.tif 000005
2004510460.tif 000006
2004510460.tif 000007
2004510460.tif 000008
2004510460.tif 000009
2004510460.tif 000010
2004510460.tif 000011
2004510460.tif 000012
2004510460.tif 000013
2004510460.tif 000014
2004510460.tif 000015
2004510460.tif 000016
2004510460.tif 000017
2004510460.tif 000018
2004510460.tif 000019
2004510460.tif 000020
2004510460.tif 000021
2004510460.tif 000022
2004510460.tif 000023
2004510460.tif 000024
2004510460.tif 000025
2004510460.tif 000026
2004510460.tif 000027
2004510460.tif 000028
2004510460.tif 000029
2004510460.tif 000030
2004510460.tif 000031
2004510460.tif 000032
2004510460.tif 000033
2004510460.tif 000034
2004510460.tif 000035
2004510460.tif 000036
2004510460.tif 000037
2004510460.tif 000038
2004510460.tif 000039
2004510460.tif 000040
2004510460.tif 000041
2004510460.tif 000042
2004510460.tif 000043
2004510460.tif 000044
2004510460.tif 000045
2004510460.tif 000046
2004510460.tif 000047
2004510460.tif 000048
2004510460.tif 000049
2004510460.tif 000050
2004510460.tif 000051
2004510460.tif 000052
【国際公開パンフレット（コレクトバージョン）】
2004510460.tif 000053
2004510460.tif 000054
【国際調査報告】
2004510460.tif 000055
2004510460.tif 000056